(57)【特許請求の範囲】
【請求項１】
信号伝送線の配線情報を受信するタグ側通信部，このタグ側通信部によって受信された信号伝送線に固有の配線情報を記憶する記憶部，この記憶部に記憶された固有配線情報と前記タグ側通信部によって受信された問合せ配線情報とを照合する照合部，および前記固有配線情報と前記問合せ配線情報とが前記照合部での照合の結果一致した場合に動作が制御される光源または音源を備えた認識タグと、
前記固有配線情報および前記問合せ配線情報を前記タグ側通信部に送信する読み書き側通信部，この読み書き側通信部によって送信される前記各配線情報を入力する情報入力部，および光透過性の棒状体または中空円筒状の棒状体を備えたタグ読み書き手段と
からなる信号伝送線識別装置。
【請求項２】
前記認識タグは、前記照合部での照合の結果前記固有配線情報と前記問合せ配線情報とが一致した場合に、前記タグ側通信部から一致信号を送信し、
前記タグ読み書き手段は、光源または音源を備え、前記読み書き側通信部が前記タグ側通信部から前記一致信号を受信した場合に、自身の前記光源または音源の動作を制御することを特徴とする請求項１に記載の信号伝送線識別装置。
【請求項３】
前記認識タグは、複数の信号伝送線が束ねられた束毎または信号伝送線の１本毎に設けられていることを特徴とする請求項１または請求項２に記載の信号伝送線識別装置。
【請求項４】
前記認識タグは、支持体の周囲に粘着テープに巻かれて、または、両面粘着テープによって支持体の周囲に貼られて、または、自身に貼られた面ファスナーと支持体に貼られた面ファスナーとが係合して、または、支持体の周囲に結束バンドによって締め付けられて、または、一体に取り付けられた対向する弾性体がその弾性力によって支持体を挟み込んで、支持体に取り付けられていることを特徴とする請求項３に記載の信号伝送線識別装置。
【請求項５】
前記支持体は、前記認識タグが複数の信号伝送線の束毎に設けられる場合には、複数の信号伝送線の束、または配線盤に複数収容されてそれぞれ複数の信号伝送線が接続される線路成端トレイ、またはこの線路成端トレイ近傍の配線盤内の部材であり、前記認識タグが信号伝送線１本毎に設けられる場合には、１本の信号伝送線、または信号伝送線に接続されたコネクタ、またはこのコネクタと信号伝送線との接続箇所に設けられたコネクタ・ブーツであることを特徴とする請求項４に記載の信号伝送線識別装置。
【請求項６】
前記認識タグは、信号伝送線に接続されたコネクタ、もしくはこのコネクタと信号伝送線との接続箇所に設けられたコネクタ・ブーツに埋設され、または、前記コネクタもしくは前記コネクタ・ブーツの成型時に一体成型されて、信号伝送線１本毎に設けられていることを特徴とする請求項１または請求項２に記載の信号伝送線識別装置。
【請求項７】
前記読み書き側通信部は前記棒状体に埋設されたアンテナを有していることを特徴とする請求項１から請求項６のいずれか１項に記載の信号伝送線識別装置。
【請求項８】
信号伝送線の配線情報を受信するタグ側通信部，このタグ側通信部によって受信された信号伝送線に固有の配線情報を記憶する記憶部，この記憶部に記憶された固有配線情報と前記タグ側通信部によって受信された問合せ配線情報とを照合する照合部，および前記固有配線情報と前記問合せ配線情報とが前記照合部での照合の結果一致した場合に動作が制御される光源または音源を備えた認識タグと、
前記固有配線情報および前記問合せ配線情報を前記タグ側通信部に送信する読み書き側通信部，およびこの読み書き側通信部によって送信される前記各配線情報を入力する情報入力部を備えたタグ読み書き手段とからなる信号伝送線識別装置であって、
前記認識タグは、複数の信号伝送線が束ねられた束毎または信号伝送線の１本毎に設けられており、
前記認識タグは、支持体の周囲に粘着テープに巻かれて、または、両面粘着テープによって支持体の周囲に貼られて、または、自身に貼られた面ファスナーと支持体に貼られた面ファスナーとが係合して、または、支持体の周囲に結束バンドによって締め付けられて、または、一体に取り付けられた対向する弾性体がその弾性力によって支持体を挟み込んで、支持体に取り付けられており、
前記支持体は、前記認識タグが複数の信号伝送線の束毎に設けられる場合には、複数の信号伝送線の束、または配線盤に複数収容されてそれぞれ複数の信号伝送線が接続される線路成端トレイ、またはこの線路成端トレイ近傍の配線盤内の部材であり、前記認識タグが信号伝送線１本毎に設けられる場合には、１本の信号伝送線、または信号伝送線に接続されたコネクタ、またはこのコネクタと信号伝送線との接続箇所に設けられたコネクタ・ブーツであり、
前記コネクタは、このコネクタを挟むコネクタ狭持部を先端に備えた棒状のコネクタ挿抜治具によって抜き差しされ、
前記読み書き側通信部は、このコネクタ挿抜治具の先端近傍に設けられたアンテナを有していることを特徴とする信号伝送線識別装置。
【請求項９】
信号伝送線の配線情報を受信するタグ側通信部，このタグ側通信部によって受信された信号伝送線に固有の配線情報を記憶する記憶部，この記憶部に記憶された固有配線情報と前記タグ側通信部によって受信された問合せ配線情報とを照合する照合部，および前記固有配線情報と前記問合せ配線情報とが前記照合部での照合の結果一致した場合に動作が制御される光源または音源を備えた認識タグと、
前記固有配線情報および前記問合せ配線情報を前記タグ側通信部に送信する読み書き側通信部，およびこの読み書き側通信部によって送信される前記各配線情報を入力する情報入力部を備えたタグ読み書き手段とからなる信号伝送線識別装置であって、
前記認識タグは、信号伝送線に接続されたコネクタ、もしくはこのコネクタと信号伝送線との接続箇所に設けられたコネクタ・ブーツに埋設され、または、前記コネクタもしくは前記コネクタ・ブーツの成型時に一体成型されて、信号伝送線１本毎に設けられており、
前記コネクタは、このコネクタを挟むコネクタ狭持部を先端に備えた棒状のコネクタ挿抜治具によって抜き差しされ、
前記読み書き側通信部は、このコネクタ挿抜治具の先端近傍に設けられたアンテナを有していることを特徴とする信号伝送線識別装置。
【請求項１０】
前記認識タグは、前記照合部での照合の結果前記固有配線情報と前記問合せ配線情報とが一致した場合に、前記タグ側通信部から一致信号を送信し、
前記タグ読み書き手段は、光源または音源を備え、前記読み書き側通信部が前記タグ側通信部から前記一致信号を受信した場合に、自身の前記光源または音源の動作を制御することを特徴とする請求項８または請求項９に記載の信号伝送線識別装置。
【発明の詳細な説明】
【０００１】
【発明の属する技術分野】
本発明は、認識タグを用いた信号伝送線識別装置に関するものである。
【０００２】
【従来の技術】
光配線盤等の、多数の光コードが信号伝送線として配線されている場所では、配線を変更する際、変更したい光コードを識別して特定する必要がある。従来、光コードを識別するには、光コードの配線情報を手書きしたタグを各光コードに予め取り付けておき、タグに書かれた内容がまとめられた配線情報一覧表を参照して特定したいタグを探し出している。また、複数の光コードが束ねられたトレイ毎にバーコードを取り付け、このバーコードを読み取ることによって配線情報をパソコン（パーソナルコンピュータ）で識別管理するシステムも用いられている。
【０００３】
【発明が解決しようとする課題】
しかしながら、上記従来のタグを用いた光コードの識別においては、光コードを識別する作業は、配線情報一覧表を参照して各光コードに取り付けられたタグを人の目で読み取ることにより行っている。従って、例えば数１００本の光コードの中から特定の光コードを識別するには間違える可能性もある。万が一、特定すべき光コードを間違えてそのまま配線変更を行ってしまうと、接続先のシステムの機能停止等を発生させてしまう恐れもあるので、配線変更の際に光コードを識別する作業は、従来、非常に神経を使い、手間のかかる作業になっている。
【０００４】
また、バーコードを用いてパソコンで識別管理する従来のシステムにおいては、バーコードを読み取り可能な状態で取り付けなければならないため、取付場所が平面を有する場所等に限定されてしまい、曲線的な光コード１本１本にバーコードを取り付けることは困難であった。このため、特定したい光コードが接続されているトレイを識別する段階にとどまり、光コード１本１本を特定して識別する段階までは及んでいない。従って、上記従来のシステムは、配線変更を行う際の光コードの識別作業においては、あまり有用なシステムではなかった。また、実作業においては、バーコードを管理する携帯型のパソコン等を現場に持ち込まなければならず、不便であった。
【０００５】
【課題を解決するための手段】
本発明は、このような課題を解決するためになされたもので、信号伝送線の配線情報を受信するタグ側通信部，このタグ側通信部によって受信された信号伝送線に固有の配線情報を記憶する記憶部，この記憶部に記憶された固有配線情報とタグ側通信部によって受信された問合せ配線情報とを照合する照合部，および固有配線情報と問合せ配線情報とが照合部での照合の結果一致した場合に動作が制御される光源または音源を備えた認識タグと、固有配線情報および問合せ配線情報をタグ側通信部に送信する読み書き側通信部，この読み書き側通信部によって送信される各配線情報を入力する情報入力部，および光透過性の棒状体または中空円筒状の棒状体を備えたタグ読み書き手段とから、信号伝送線識別装置を構成した。
【０００６】
本構成において、認識タグへの配線情報の書き込みは、認識タグが取り付けられた信号伝送線に固有の配線情報が、タグ読み書き手段の情報入力部に入力されることによって行われる。情報入力部に入力された固有配線情報は読み書き側通信部から送信され、認識タグのタグ側通信部に受信される。受信された固有配線情報は認識タグに備えられた記憶部に記憶され、認識タグへの配線情報の書き込みが行われる。一方、認識タグに書き込まれた配線情報の読み出しは、所望の信号伝送線に固有の配線情報を問合せ配線情報として、タグ読み書き手段の情報入力部に入力されることによって行われる。情報入力部に入力された問合せ配線情報は読み書き側通信部から送信され、認識タグのタグ側通信部に受信される。受信された問合せ配線情報は照合部によって記憶部に記憶された固有配線情報と照合され、照合の結果、固有配線情報と問合せ配線情報とが一致した場合には光源または音源の動作が制御される。また、タグ読み書き手段に備えられた棒状体を複数の信号伝送線の束の中に挿入して掻き分けることにより、認識タグが発する光は光透過性の棒状体の先端もしくは側面から棒状体内部を通って、または棒状体の先端から中空円筒状部を通って信号伝送線の束の外部へ導出される。
【０００７】
また、本発明は、認識タグが、照合部での照合の結果固有配線情報と問合せ配線情報とが一致した場合に、タグ側通信部から一致信号を送信し、タグ読み書き手段が、光源または音源を備え、読み書き側通信部がタグ側通信部から一致信号を受信した場合に、自身の光源または音源の動作を制御することを特徴とする。
【０００８】
本構成によれば、認識タグの照合部での照合の結果、固有配線情報と問合せ配線情報とが一致した場合には、認識タグの光源または音源の動作が制御されると共に、タグ読み書き手段の光源または音源の動作も制御される。従って、認識タグが発光または発音したり等することにより、所望の信号伝送線の存在位置が知らされると共に、タグ読み書き手段が発光または発音をしたり等することにより、所望の信号伝送線が検出されたことがタグ読み書き手段の操作者に知らされる。
【０００９】
また、本発明は、認識タグが、複数の信号伝送線が束ねられた束毎または信号伝送線の１本毎に設けられていることを特徴とする。
【００１０】
本構成によれば、複数の信号伝送線の束毎または信号伝送線の１本毎に、認識タグの発光や発音等が認識され、従って、信号伝送線を所望の単位で認識することが出来る。
【００１３】
また、本発明は、読み書き側通信部が棒状体に埋設されたアンテナを有していることを特徴とする。
【００１４】
本構成によれば、棒状体が読み書き側通信部のアンテナに兼用される。また、認識タグが信号伝送線の束の中にあったり等してタグ読み書き手段が出力する信号が認識タグに及び難い状況でも、棒状体を信号伝送線の束等の中に挿入することにより、タグ読み書き手段が出力する信号は認識タグに及び易くなる。
【００１５】
また、本発明は、コネクタが、このコネクタを挟むコネクタ狭持部を先端に備えた棒状のコネクタ挿抜治具によって抜き差しされ、読み書き側通信部が、このコネクタ挿抜治具の先端近傍に設けられたアンテナを有していることを特徴とする。
【００１６】
本構成によれば、コネクタ挿抜治具が読み書き側通信部のアンテナに兼用される。
【００１７】
【発明の実施の形態】
次に、本発明による信号伝送線識別装置を光ファイバーケーブルの配線盤に適用した一実施形態について説明する。
【００１８】
図１は、本実施形態による信号伝送線識別装置が適用された光配線盤１の構成を示す正面図である。光配線盤１は、２６個の線路成端トレイ２からなる線路成端ユニット３が上下方向に６個設けられて構成されている。
【００１９】
図２は、線路成端トレイ２を構成するアダプタモジュール４の正面斜視図である。アダプタモジュール４には、光コネクタアダプタ５が上下方向一列に８個配設されており、このようなアダプタモジュール４が上下一対に配設されて１つの線路成端トレイ２が構成されている。従って、１つの線路成端ユニット３は、横方向に２６個の線路成端トレイ２が配設されて構成されているため、合計４１６（＝８×２×２６）個の光コネクタアダプタ５を備えている。
【００２０】
図３は、図２に示すアダプタモジュール４を上下一対に備えた線路成端トレイ２が密に配設された線路成端ユニット３の一部を示す斜視図である。
【００２１】
箱形状を成す線路成端ユニット３には、２６個の線路成端トレイ２が互いに隣接して整然と収納されている。各線路成端トレイ２の光コネクタアダプタ５には、光コネクタプラグ６が挿入されている。この光コネクタプラグ６には信号伝送線であるジャンパ光コード７の一端が接続されており、ジャンパ光コード７の他端にも図示しない別の光コネクタプラグ６が接続されて他の線路成端ユニット３の光コネクタアダプタ５に挿入されている。つまり、光配線盤１においては、各線路成端ユニット３間がジャンパ光コード７によって接続されて光コードが配線されており、光コードの配線の変更は光コネクタプラグ６の挿入位置を変更することによって行われる。
【００２２】
また、各線路成端トレイ２上部の線路成端ユニット３の前側面にＲＦ−ＩＤタグ（電磁誘導方式認識タグ）８が両面粘着テープで貼り付けられ、各線路成端トレイ２毎つまり１６本のジャンパ光コード７の束毎にＲＦ−ＩＤタグ８が設けられている。
【００２３】
ＲＦ−ＩＤタグ８は、線路成端トレイ２近傍の線路成端ユニット３ではなく、線路成端トレイ２自身に両面粘着テープで貼り付けてもよい。また、ＲＦ−ＩＤタグ８は、両面粘着テープにより貼り付ける方法に限らず、自身に貼られた面ファスナーと線路成端ユニット３の前側面や線路成端トレイ２に貼られた面ファスナーとを係合させたり、線路成端トレイ２やその近傍の線路成端ユニット３に結束バンドにより締め付けたりして取り付けてもよい。また、線路成端トレイ２やその近傍の線路成端ユニット３に粘着テープで巻き付けたり、ＲＦ−ＩＤタグ８に一体に取り付けられたバネ体で線路成端トレイ２やその近傍の線路成端ユニット３の一部を挟み込むようにして取り付けてもよい。ここで、バネ体は、ＲＦ−ＩＤタグ８に一体に取り付けられた対向する弾性体を構成しており、対向する弾性体の間隙の物体を弾性力によって挟み込む。
【００２４】
また、ＲＦ−ＩＤタグ８は各光コネクタプラグ６に接続された各ジャンパ光コード７にも図３に示すように取り付けられ、ジャンパ光コード７の１本毎にもＲＦ−ＩＤタグ８が設けられている。ＲＦ−ＩＤタグ８のジャンパ光コード７への取付方法としては、図４（ａ）に示すように、予めＲＦ−ＩＤタグ８に接着または一体成型しておいた上述のバネ体９により、ジャンパ光コード７を挟み込むようにして取り付ける方法がある。また、同図（ｂ）に示すように、結束バンド１０を用いてＲＦ−ＩＤタグ８をジャンパ光コード７の周囲に縛り付ける方法がある。この他、粘着テープでジャンパ光コード７の周囲に巻き付けたり、両面粘着テープや面ファスナーでＲＦ−ＩＤタグ８の端面とジャンパ光コード７の外周面とを貼り付けたり係合させて取り付けてもよく、特定の取付方法に限定されることはない。
【００２５】
図５は、本実施形態による信号伝送線識別装置の構成の概略を示す図である。
ＲＦ−ＩＤタグ８は、光源であるＬＥＤ（発光ダイオード）１１、ＬＥＤを発光制御するＣＰＵ（中央演算処理装置）１２、電気的処理によりデータの消去および書き込みが可能なＥＥＲＯＭ（Electrically Eraseble ROM）１３、および外部と通信するアンテナ部１４を備えて構成されている。ここで、ＣＰＵ１２およびアンテナ部１４は信号伝送線の配線情報を電磁波として受信するタグ側通信部を構成している。また、ＥＥＲＯＭ１３は、タグ側通信部によって受信された信号伝送線に固有の配線情報を記憶する記憶部を構成している。また、ＣＰＵ１２はＥＥＲＯＭ１３に記憶された固有配線情報とタグ側通信部によって受信された問合わせ配線情報とを照合する照合部を構成している。
【００２６】
ＲＦ−ＩＤタグ８は、自身で電源を備えておらず、タグ読み書き手段であるタグリーダ／ライタ１５により発生される誘導電磁界を電源として動作する。
【００２７】
タグリーダ／ライタ１５は、光コードの配線情報を入力する情報入力部としてキー１５ａ、このキー１５ａに入力された配線情報を固有配線情報または問合わせ配線情報としてＲＦ−ＩＤタグ８のタグ側通信部に電磁波で送信する図示しない読み書き側通信部、および音源として図示しないブザーを備えて構成されている。また、ブザーが発する音を外部へ出力する透音孔１５ｂ、キー１５に入力された配線情報等を表示するディスプレイ１５ｃ、本体と通信コードを介して接続された電磁波を送受信するアンテナ１６を備えている。このアンテナ１６は、中空円筒状に形成された光透過性の材質からなる棒状体に金属線が埋設されて形成されており、光コードの束の間に挿入することが可能である。
【００２８】
アンテナ１６は、図６に示すように本体に一体にして、中空円筒状の棒状体の端部に覗き窓１７を設け、この覗き窓１７から中空部を介して棒状体の他端部が見えるように形成してもよい。なお、同図において図５と同一または相当する部分には同一符号を付してその説明は省略する。
【００２９】
このような構成において、タグリーダ／ライタ１５への光コードの固有の配線情報の入力は、キー１５ａの操作により手動で行うか、または、パソコンと接続して行う。パソコンと接続して行う場合は、パソコンのキーを光コードの配線情報を入力する情報入力部としてパソコンに配線情報を入力し、入力した配線情報をタグリーダ／ライタ１５に伝送すると共に、情報管理のためにパソコンにも記憶させる。タグリーダ／ライタ１５へ入力された固有の配線情報は、アンテナ１６からの電磁波によりＲＦ−ＩＤタグ８のタグ側通信部に送信され、ＣＰＵ１２によってＥＥＲＯＭ１３に固有配線情報として書き込まれる。本実施形態においては、各ジャンパ光コード７に取り付けられたＲＦ−ＩＤタグ８には、そのジャンパ光コード７によって接続されている光コードの配線情報が上記のようにして書き込まれており、各線路成端トレイ２のブロック毎に設けられたＲＦ−ＩＤタグ８には、その線路成端トレイ２に接続されている全てのジャンパ光コード７に共通する光コードのブロック配線情報が書き込まれている。
【００３０】
パソコンを用いて光コードの配線を変更する際は、まず、変更対象となる光コードが属するブロックの固有配線情報を問い合わせ配線情報としてパソコンにキー入力し、タグリーダ／ライタ１５の読み書き側通信部に伝送する。パソコンを情報管理に用いない場合は、問い合わせ配線情報をキー１５ａの手動操作により直接タグリーダ／ライタ１５に入力する。問い合わせ配線情報の入力が完了したら、タグリーダ／ライタ１５のアンテナ１６をまず線路成端トレイ２上部の各線路成端ユニット３の前面近傍にかざす。アンテナ１６からは読み書き側通信部の制御の下で電磁波が出力されており、この電磁波による誘導電磁界にかざされたＲＦ−ＩＤタグ８が誘導電源によって起動され、起動されたＲＦ−ＩＤタグ８のタグ側通信部とタグリーダ／ライタ１５の読み書き側通信部との間でデータ通信が行われる。なお、本実施形態においては、電磁波が及ぶ距離は約１００〔mm〕以内に設定されているため、タグリーダ／ライタ１５はＲＦ−ＩＤタグ８まで１００〔mm〕以内の範囲に接近させてかざす。
【００３１】
タグリーダ／ライタ１５とＲＦ−ＩＤタグ８との間のデータ通信において、タグリーダ／ライタ１５は、入力された問合わせ配線情報をＲＦ−ＩＤタグ８のタグ側通信部へ電磁波で送信する。ＲＦ−ＩＤタグ８は、タグ側通信部のアンテナ部１４を介して受信した問合わせ配線情報をＥＥＲＯＭ１３に記憶された固有配線情報と照合させる。照合の結果、固有配線情報と問合わせ配線情報とが一致した場合、ＣＰＵ１２によりＬＥＤ１１が発光され、また、アンテナ部１４よりタグリーダ／ライタ１５へ一致信号が電磁波として送信される。
【００３２】
ＲＦ−ＩＤタグ８からの一致信号が読み書き側通信部のアンテナ１６を介してタグリーダ／ライタ１５に受信されると、ブザーが作動され、透音孔１５ｂよりブザー音が発音される。従って、作業者は、線路成端トレイ２上部の線路成端ユニット３の前面近傍でかざしたタグリーダ／ライタ１５からブザー音が発せられたら、その近くでＬＥＤ１１が発光しているＲＦ−ＩＤタグ８を探し出すことにより、所望の光コードに繋がるジャンパ光コード７が接続されている線路成端トレイ２のブロックを特定することが出来る。
【００３３】
次に、所望の光コードに繋がるジャンパ光コード７が有する固有配線情報を問い合わせ配線情報として、再度、パソコンまたは直接タグリーダ／ライタ１５に入力し、特定された線路成端トレイ２に接続された１６本のジャンパ光コード７の各ＲＦ−ＩＤタグ８近傍にアンテナ１６をかざす。そして、ＬＥＤ１１が発光しているジャンパ光コード７を探し出すことにより、所望の光コードを特定することが出来る。
【００３４】
所望の光コードに繋がるジャンパ光コード７を特定したら、タグリーダ／ライタ１５により、特定したジャンパ光コード７に取り付けられたＲＦ−ＩＤタグ８のＥＥＲＯＭ１３に記憶された変更前の配線情報を消去し、新たな固有配線情報を上述した手順で書き込む。あるいは、特定したジャンパ光コード７に取り付けられているＲＦ−ＩＤタグ８を取り外し、新たな配線情報を書き込んだ新たなＲＦ−ＩＤタグを取り付ける。このようにしてＲＦ−ＩＤタグ８の更新が完了したら、配線変更後の接続先のＲＦ−ＩＤタグ８も上述した手順と同様にして識別し、配線を組み替える。また、パソコンで配線情報の管理をしている場合は、配線変更情報を入力して管理情報も更新しておく。
【００３５】
このような本実施形態による信号伝送線識別装置によれば、所望の光コードに繋がるジャンパ光コード７が接続された線路成端トレイ２に固有の配線情報をＲＦ−ＩＤタグ８に予め書き込んでおき、タグリーダ／ライタ１５のキー１５ａまたはパソコンのキーから問い合わせ配線情報を入力することにより、所望の光コードに繋がるジャンパ光コード７が接続された線路成端トレイ２に設けられたＲＦ−ＩＤタグ８が発光する。また、所望の光コードに繋がるジャンパ光コード７に固有の配線情報をＲＦ−ＩＤタグ８に予め書き込んでおき、タグリーダ／ライタ１５のキー１５ａまたはパソコンのキーから問い合わせ配線情報を随時入力することにより、配線変更する予定の光コードに繋がるジャンパ光コード７に取り付けられたＲＦ−ＩＤタグ８が発光する。従って、作業者は、発光しているＲＦ−ＩＤタグ８を探し出すことにより、多数のジャンパ光コード７の中から配線変更する光コードに繋がるジャンパ光コード７を容易に識別することが出来る。この結果、従来のように、配線情報一覧表等を参照して、都度確認しながら光コードを識別するという神経を使って手間のかかる作業をすることなく、所望の光コードを容易に識別することが可能になる。しかも、ＲＦ−ＩＤタグ８が発光することによってその位置が明確に特定されるので、従来のように配線変更する光コードに接続されたジャンパ光コード７を見間違えることもない。
【００３６】
また、本実施形態によれば、配線変更する光コードの配線情報が書き込まれたＲＦ−ＩＤタグ８が発光すると共に、タグリーダ／ライタ１５がブザー音を発して所望の光コードが検出されたことをタグリーダ／ライタ１５の操作者に報知する。従って、発光しているＲＦ−ＩＤタグ８を作業者が視認出来ないことがあっても、手元のタグリーダ／ライタ１５の発音により報知されることによって、注意を払って周りを再確認することが出来る。この結果、配線変更する光コードを漏れなく識別することが出来る。
【００３７】
また、本実施形態では、ジャンパ光コード７の束毎およびジャンパ光コード７の１本毎にＲＦ−ＩＤタグ８の発光が認識され、ジャンパ光コード７を所望の単位で認識することが出来る。このため、ジャンパ光コード７の束を線路成端トレイ２毎に最初に識別し、その後、その線路成端トレイ２の中から所望の１本のジャンパ光コード７を識別することが出来る。よって、膨大なジャンパ光コード７の中から所望の１本のジャンパ光コード７を効率よく探し出すことが出来る。
【００３８】
また、本実施形態によれば、光配線盤１に新規に光コードを配線したときや配線変更を行った後、上述した一連の動作と同様に、タグリーダ／ライタ１５に特定したい光コードの配線情報を入力して光配線盤１の近傍にかざし、ＲＦ−ＩＤタグ８が発光するか否かを判別することによって、光コードが光配線盤１に正しく配線されているか否かを確認することも出来る。
【００３９】
なお、本実施形態においては、各線路成端トレイ２毎にその近傍にＲＦ−ＩＤタグ８を設ける構成としたが、ジャンパ光コード７を所定数毎に束ね、その束に直接ＲＦ−ＩＤタグ８を取り付ける構成としてもよい。ジャンパ光コード７の束へのＲＦ−ＩＤタグ８の取り付けは、束の周囲に粘着テープで巻き付けたり、束の周囲に両面粘着テープで貼ったり、束の周囲に面ファスナーで係合させたり、束を結束バンド１０で縛ったり、大きなバネ体９で束を挟み込んだりすることにより、行える。
【００４０】
このとき、束にするジャンパ光コード７の本数が多くて中の方のジャンパ光コード７一本毎に取り付けられたＲＦ−ＩＤタグ８に誘導電磁界が及びにくい場合は、タグリーダ／ライタ１５のアンテナ１６を束の中に挿入して埋もれたＲＦ−ＩＤタグ８までの距離を接近させればよい。この際、ジャンパ光コード７一本毎に取り付けられたＲＦ−ＩＤタグ８の発光が視認できなくても、ＲＦ−ＩＤタグ８が発する光が、アンテナ１６の透明な棒状体の先端もしくは側面から棒状体の内部を通って、または棒状体の先端から中空円筒状部を通って外部へ導出されるため、束の中で発光しているＲＦ−ＩＤタグ８を視認することが出来る。あるいは、アンテナ１６の棒状体の端部に覗き窓１７を設けた場合、この覗き窓１７から棒状体の中空円筒状部を介して束の中で発光しているＲＦ−ＩＤタグ８を視認することが出来る。この場合、アンテナ１６の棒状体の材質は、必ずしも光透過性でなくてもよい。
【００４１】
また、本実施形態では、ＲＦ−ＩＤタグ８を上記のように探し出す棒状体をアンテナ１６に兼用しているため、部品点数を増やすことなく、装置の多機能化を図ることが出来る。
【００４２】
また、本実施形態においては、ＲＦ−ＩＤタグ８をジャンパ光コード７にバネ体９や結束バンド１０等で取り付ける構成としたが、光コネクタプラグ６と一体に取り付けるようにしてもよい。
【００４３】
図７（ａ）は、ＲＦ−ＩＤタグ８が一体成型された光コネクタプラグ６の一例を示す一部断面図である。光コネクタプラグ６は光コネクタアダプタ５に結合されるハウジング６ａを有しており、ジャンパ光コード７の端部の折れ曲がりを防止するためにハウジング６ａとジャンパ光コード７との接続箇所にコネクタブーツ６ｂが設けられている。ＲＦ−ＩＤタグ８は、このコネクタブーツ６ｂの一部に一体に成型されており、脱落を防止するために断面が凸型に成形されたものが用いられている。このように、予めＲＦ−ＩＤタグ８をコネクタブーツ６ｂに一体に成型すれば、上述したバネ体９や結束バンド１０等の取付部品が削減されると共に、後からジャンパ光コード７等に取り付ける手間が省け、作業負担が軽減される。また、同図（ｂ）に示すように、ハウジング６ａの側面に一体に成型したり、同図（ｃ）に示すように、ハウジング６ａに埋め込んで一体に成型しても同様な効果が得られる。また、同図（ｄ）に示すように、コネクタブーツ６ｂに予めはめ込み部分６ｃだけを成型し、後からＲＦ−ＩＤタグ８をこのはめ込み部分６ｃにはめ込むことによっても、容易に取り付けることが出来、バネ体９や結束バンド１０等の取付部品を削減することが出来る。また、これらハウジング６ａやコネクタブーツ６ｂの周囲に、ＲＦ−ＩＤタグ８を粘着テープで巻き付けたり、両面粘着テープで貼り付けたり、面ファスナーで係合させたり、結束バンド１０で締め付けたり、バネ体９によって挟み込んだりすることによっても、取り付けることが出来る。
【００４４】
また、本実施形態においては、タグリーダ／ライタ１５のアンテナ１６をＲＦ−ＩＤタグ８を探し出す棒状体に埋設したが、光コネクタプラグ６を光コネクタアダプタ５に抜き差しする際に用いられるコネクタ挿抜治具に設けてもよい。
【００４５】
図８は、コネクタ挿抜治具１８の構成を示す斜視図である。コネクタ挿抜治具１８は、先端に光コネクタプラグ６を挟み込むコネクタ狭持部１８ａが設けられた棒状の治具であり、グリップ１８ｂにより把持されて用いられる。コネクタ挿抜治具１８の先端近傍には、アンテナ１９が設けられており、コード２０を介してタグリーダ／ライタ１５に接続されている。
【００４６】
このコネクタ挿抜治具１８を用いて所望の光コードを識別する場合、作業者は、アンテナ１９が設けられたコネクタ挿抜治具１８の先端を各ＲＦ−ＩＤタグ８の近傍にかざす。そして、ＬＥＤ１１が発光したＲＦ−ＩＤタグ８を識別することにより、そのＲＦ−ＩＤタグ８が取り付けられている所望の光コードを識別する。そして、そのままコネクタ挿抜治具１８を用いて、識別した光コードの光コネクタプラグ６をコネクタ狭持部１８ａに挟んで光コネクタアダプタ５から抜き外す。引き続き配線変更を行う場合は、治具を持ち替えることなく、抜き外した光コネクタプラグ６をコネクタ狭持部１８ａに挟んだまま、変更先の光コネクタアダプタ５に差し込む。
【００４７】
この作業においては、図７に示したように、ＲＦ−ＩＤタグ８が光コネクタプラグ６に設けられている場合、コネクタ挿抜治具１８の先端は光コネクタプラグ６にかざされ、所望の光コードに接続された光コネクタプラグ６にかざされたとき、コネクタ狭持部１８ａは挿抜の対象となる光コネクタプラグ６の近傍に位置すると共に、その光コネクタプラグ６に設けられたＲＦ−ＩＤタグ８のＬＥＤ１１は発光する。従って、ＬＥＤ１１が発光している光コネクタプラグ６を速やかにかつ確実にコネクタ挿抜治具１８のコネクタ狭持部１８ａに狭持することが出来、ＬＥＤ１１が発光していない隣接する他の光コネクタプラグ６を誤って抜き差ししてしまうことを確実に防止できる。
【００４８】
ＲＦ−ＩＤタグ８をジャンパ光コード７等の光コネクタプラグ６以外の部位に取り付けた場合であっても、光コネクタプラグ６からＲＦ−ＩＤタグ８までの距離が所定範囲内であれば上記の場合と同様な効果が得られる。つまり、光コネクタプラグ６からＲＦ−ＩＤタグ８までの距離が、アンテナ１９から出力される電磁波が及ぶ距離（本実施形態においては約１００〔mm〕以内）であれば、コネクタ挿抜治具１８のコネクタ狭持部１８ａに光コネクタプラグ６が狭持されるときにＬＥＤ１１は発光したままである。このため、ＲＦ−ＩＤタグ８をジャンパ光コード７等の光コネクタプラグ６以外の部位に取り付けた場合であっても、光コネクタプラグ６からＲＦ−ＩＤタグ８までの距離が所定範囲内であれば、ＲＦ−ＩＤタグ８が光コネクタプラグ６に設けられている上記の場合と同様に、隣接する他の挿抜対象外の光コネクタプラグ６を誤って抜き差ししてしまうことを確実に防止できる。
【００４９】
また、本実施形態においては、ＲＦ−ＩＤタグ８の空間伝送媒体方式として電磁誘導方式を適用した場合について説明したが、本発明はこれに限定されることはない。例えば、静電気による誘導作用を利用した静電結合方式、または密に結合した電磁誘導作用を利用した電磁結合方式をＲＦ−ＩＤタグの空間伝送媒体方式に適用してもよい。あるいは、マイクロ波帯の電波を利用したマイクロ波方式、または赤外線などの光を利用した光方式等を適用してもよい。これら各方式をＲＦ−ＩＤタグの空間伝送媒体方式として適用した場合においても、上記実施形態と同様な作用・効果が奏される。
【００５０】
また、本実施形態においては、ＲＦ−ＩＤタグ８に対する各配線情報等の信号の送受信をタグリーダ／ライタ１５により行う構成としたが、携帯型のパソコン等で直接ＲＦ−ＩＤタグ８との間で各配線情報等の信号の送受信を行い、パソコンをタグリーダ／ライタ１５として用いる構成としてもよい。このような構成にした場合、ＲＦ−ＩＤタグに対する配線情報の読み書きに加え、配線情報の管理をも１台のパソコンで行えるため、合理的である。
【００５１】
また、本実施形態においては、所望の光コードが識別されると、ＲＦ−ＩＤタグ８が発光し、タグリーダ／ライタ１５が発音する構成としたが、ＲＦ−ＩＤタグ８に音源を設け、タグリーダ／ライタ１５に光源を設けて、所望の光コードが識別されると、ＲＦ−ＩＤタグ８が発音し、タグリーダ／ライタ１５が発光する構成としてもよい。また、全てのＲＦ−ＩＤタグ８に電源を設けて、予め全てのＲＦ−ＩＤタグ８を発光または発音させておき、所望の光コードが識別されると対応するＲＦ−ＩＤタグ８が消光または消音する構成としてもよい。このような各構成においても、上記実施形態と同様な作用・効果が奏される。
【００５２】
また、本実施形態においては、光配線盤１に配線された複数の光コードの中から特定の光コードを識別する場合について説明したが、本発明はこれに限定されることはなく、例えば、光ケーブルやメタル通信ケーブル等の信号伝送線を識別する場合にも適用することが出来、この場合においても上記実施形態と同様な作用・効果が奏される。
【００５３】
【発明の効果】
以上説明したように本発明によれば、所望の信号伝送線に固有の配線情報を認識タグの記憶部に予め書き込んでおき、タグ読み書き手段の情報入力部から問合せ配線情報を随時入力することにより、所望の信号伝送線に取り付けられた認識タグは発光または発音したり、発光または発音を停止する。このため、配線情報一覧表を参照して、都度確認しながら信号伝送線を識別するという、神経を使って手間のかかる従来の作業をすることなく、所望の信号伝送線を容易に識別することが可能になる。しかも、認識タグが発光したり発音したり等して所望の信号伝送線の位置を知らせるため、従来のように間違えることなく、所望の信号伝送線を確実に識別することが可能になる。また、タグ読み書き手段に光透過性の棒状体または中空円筒状の棒状体を備えているので、この棒状体を複数の信号伝送線の束の中に挿入して掻き分けることにより、認識タグが発する光は光透過性の棒状体の先端もしくは側面から棒状体内部を通って、または棒状体の先端から中空円筒状部を通って信号伝送線の束の外部へ導出される。このため、認識タグが複数の信号伝送線の束に埋もれていても、棒状体を信号電線の束の中に挿入することにより、所望の信号伝送線を探し出すことが出来る。
【００５４】
また、固有配線情報と問合せ配線情報とが一致した場合に、タグ側通信部から一致信号を送信し、読み書き側通信部がこの一致信号を受信した場合に、タグ読み書き手段の光源または音源が動作する構成とした場合、認識タグが発光または発音したり等することにより、所望の信号伝送線の存在位置が知らされると共に、タグ読み書き手段が発光または発音をしたり等することにより、所望の信号伝送線が検出されたことがタグ読み書き手段の操作者に知らされる。このため、作業者が認識タグの発光や発音等を認識出来ないことがあっても、手元のタグ読み書き手段により報知されることによって、再度注意を払って発光や発音等している認識タグを探すことが出来るので、漏れなく容易に識別することが出来る。
【００５５】
また、複数の信号伝送線が束ねられた束毎または信号伝送線の１本毎に認識タグを設ける構成とした場合、複数の信号伝送線の束毎または信号伝送線の１本毎に、認識タグの発光や発音等が認識され、従って、信号伝送線を所望の単位で認識することが出来る。このため、複数の信号伝送線の束をまず最初に識別し、その後、その束の中からさらに所望の１本の信号伝送線を識別することが出来る。よって、膨大な信号伝送線の中から所望の１本の信号伝送線を効率よく探し出すことが出来る。
【００５７】
また、棒状体にアンテナを埋設した場合、棒状体が読み書き側通信部のアンテナに兼用される。このため、部品点数を増やすことなく、装置の多機能化を図ることが出来る。また、棒状体にアンテナを埋設した場合、認識タグが信号伝送線の束の中にあったり等してタグ読み書き手段が出力する信号が認識タグに及び難い状況でも、棒状体を信号伝送線の束等の中に挿入することにより、タグ読み書き手段が出力する信号は認識タグに及び易くなる。このため、様々な状況下でタグ読み書き手段と認識タグとの間の通信が行い易くなり、信号伝送線の識別を多様な形態で行うことが可能になる。
【００５８】
また、コネクタを抜き差しするコネクタ挿抜治具にアンテナを設けた場合、コネクタ挿抜治具が読み書き側通信部のアンテナに兼用される。従って、コネクタ挿抜治具を用いて所望の信号伝送線につながるコネクタを識別し、そのままコネクタを抜き差しすることが出来る。また、認識タグがコネクタから所定範囲内に設けられている場合、コネクタの挿抜作業中、タグ読み書き手段が出力する信号が認識タグに及び、タグに設けられた光源または音源が作動中になるため、タグの光源または音源が作動していない隣接する他の挿抜対象外のコネクタを誤って抜き差ししてしまうことを防止できる。
【図面の簡単な説明】
【図１】本発明の一実施形態による信号伝送線識別装置が適用された光配線盤の正面図である。
【図２】図１に示す光配線盤の線路成端トレイを構成するアダプタモジュールの正面斜視図である。
【図３】図２に示すアダプタモジュールを上下一対に備えた線路成端トレイが密に配設された線路成端ユニットの一部を示す斜視図である。
【図４】（ａ）はＲＦ−ＩＤタグがバネ体によってジャンパ光コードに取り付けられている状態を示す図であり、（ｂ）はＲＦ−ＩＤタグが結束バンドによってジャンパ光コードに取り付けられている状態を示す図である。
【図５】本発明の一実施形態による信号伝送線識別装置の構成の概略を示す図である。
【図６】タグリーダ／ライタのアンテナを形成する棒状体の設置例を示す斜視図である。
【図７】（ａ），（ｂ），（ｃ）はＲＦ−ＩＤタグがコネクタブーツ，ハウジングに一体成型された取り付けの一例を示す一部断面図であり、（ｄ）はＲＦ−ＩＤタグのコネクタブーツへのはめ込みによる取り付けの一例を示す一部断面図である。
【図８】タグリーダ／ライタのアンテナを形成するコネクタ挿抜治具の構成を示す斜視図である。
【符号の説明】
１…光配線盤
２…線路成端トレイ
３…線路成端ユニット
４…アダプタモジュール
５…光コネクタアダプタ
６…光コネクタプラグ
６ａ…ハウジング
６ｂ…コネクタブーツ
６ｃ…ＲＦ−ＩＤタグのはめ込み部分
７…ジャンパ光コード
８…ＲＦ−ＩＤタグ
９…バネ体
１０…結束バンド
１１…ＬＥＤ
１２…ＣＰＵ
１３…ＥＥＲＯＭ
１４…アンテナ部
１５…タグリーダ／ライタ
１５ａ…キー（情報入力部）
１５ｂ…透音孔
１５ｃ…ディスプレイ
１６，１９…アンテナ
１８…コネクタ挿抜治具
【図１】
0003986277.tif 000002
【図２】
0003986277.tif 000003
【図３】
0003986277.tif 000004
【図４】
0003986277.tif 000005
【図５】
0003986277.tif 000006
【図６】
0003986277.tif 000007
【図７】
0003986277.tif 000008
【図８】
0003986277.tif 000009